(57)【要約】      （修正有）【課題】リハビリ、ストレッチや健康促進に、安易に身に付けて使用できる履物の提供。【解決手段】本来サンダルや下駄は、足の裏全体をカバーして成る面を持って居り、更に下駄上面、下面歯の部分を一体化させて、その足全体に接する面をつま先立ちできる程度、約三分の一を平面として残し、この約三分の一より延長する部分を、土踏まずの刺激を促す形状で丸みを持たせて、接地面まで約３０度の曲線ある傾斜を成して切除する。更に前面に体重移動をなすと傾斜するよう、前面下部を逆階段状に切除する事で対応した。これにより足を乗せ踵を落とすことでアキレス腱、ふくら脛の腱及び筋を伸ばすことができる。又前面に体重移動することで傾斜し、後面半円部分で土踏まずを刺激でき、後面傾斜部分に足の裏が接地し、履くことができる。このユの字形状により解決した。【選択図】図１
0003121604.tif 000002
【実用新案登録請求の範囲】
【請求項１】
ユ字形の固体又は箱状で、高下駄の変形であり、歯と一体化させて、前面を逆階段とし、後面は土踏まずに合うよう丸みをもつて傾斜してなる、ユ字形に成型された基体、これにサンダル風な帯及び下駄の鼻緒状の保持具で構成された、ストレッチが出来るサンダル＆下駄状の履物。
【請求項２】
請求項１の履物で、形状を変化させたデザイン、又各種使用素材を利用し成型し製造したサンダル＆下駄状の履物。
【請求項３】
請求項１の履物で、前面に体重移動し傾けた時接地面が、一直線となる接続具を、後部下面に装着し３点保持でなるサンダル＆下駄状の履物。
【考案の詳細な説明】
【考案の詳細な説明】
【考案に属する技術分野】
【０００１】  本考案は足のふくら脛の腱、筋を延ばし、土踏まずの刺激、つま先歩き等のストレッチができる器具であり、靴、サンダル、下駄状の履物とを併用させたものである。
【背景技術】
【０００２】  従来は、リハビリ、又ストレッチとして、アキレス腱や腱伸ばしの角度調整ができる、傾斜のある足乗せ台としての器具があり、又土踏まずの刺激をするため青竹踏みとして青竹を利用して居り、健康促進に利用されている。【０００３】  さらに、ダイエットに良いとされて、つま先歩きをするサンダル等、足の半分の形状の履物がある。
【考案が解決しようとする課題】
【０００４】  従来、リハビリ、ストレッチや健康促進に、安易に身に付けて使用できる履物が無かったので、解決の課題とした。
【０００５】  そこで本考案は、ストレッチが、身に付けて何処ででもできるよう、アキレス腱伸ばし、つま先歩き、土踏まずの刺激等、更にバランス感覚を養う事が出来ると云う機能を持って、体に身に付けて利用する履物である。
【課題を解決するための手段】
【０００６】  上記した本考案の目的を達成した、その要旨は、本来サンダル、下駄は足の裏全体をカバーして成る面を持っているが、これを下駄上面、下面歯の部分とを一体化させてた。その足全体に接する面をつま先立ちできる程度、約三分の一を平面として残し、この約三分の一より延長する部分を、土踏まずの刺激を促す形状で丸みを持ちせて、接地面まで曲線をもって約３０度の傾斜を成して切除する。更に前面に体重移動をなすと傾斜するよう、前面下部を逆階段状に切除する事で対応した。これにより足を乗せ踵を落とすことでアキレス腱、ふくら脛の腱及び筋を伸ばすことができる。又前面に体重移動することで傾斜し、後面半円部分で土踏まずを刺激でき、後面傾斜部分に足の裏が接地し、履くことができる。このユの字形状により解決した。
【０００７】  さらに本考案は、リハビリとして必要な、ストレッチ機能と履物を併用させたものであり、更にバランス感覚を養う事ができるものである。
【考案を実施するための最良の形態】
【０００８】  以下、本考案について詳細に説明する。【０００９】  本考案は、角材又各種素材を利用し、各人合わせた大きさ長さ形状等様々なものができるが、試作した角材利用の基本形のもので説明する。
足の裏面が接地するつま先部分の平面を上面とし、大地に接する部分の面を下面として、幅１０センチ、長さ１５センチ、高さ７センチの角材を、長さ１０センチをつま先部分の平面として残し、これより土踏まずを押圧刺激する為の丸みを持たせて、接地面下面まで曲線で約３０度の傾斜を持たせて切除し、更に傾斜の反対面（前面）は上面より、３．５センチ部分から平行に５センチの切り込みを入れ、直角に前面下部を切除してユ字形に形成され、ストレッチサンダル下駄の基体とした。【００１０】  さらに、足とストレッチサンダル下駄の基体との一体感、安全又安定のために、下駄の鼻緒、又足を固定する帯状の保持具に、金具やマジックテープ等を利用して長短調整できる器具を装着して構成してなる。【００１１】  さらに、本考案は試作した木製で説明したが、各種デザイン化、又プラスチック等各種素材を利用し成型し、その機能を持たせて構成してなる。【００１２】  さらに、本考案は、前面へ体重移動し傾斜した時の、接地部分と前面及び後面が一直線となるよう、後面下部に延長できる接続具を付帯して、３点で保持して接地面が一直線になるよう構成してなる。【００１３】  上記の通り、形成し構成する事で一段と機能が増した。
【考案の効果】
【００１４】  本考案は、上記の通り構成されているので次に記載する効果を奏する。
【００１５】  請求項１のストレッチサンダル下駄は、踵を落として歩行や上下を繰り返すことで、リハビリやストレッチとして足のアキレス腱やふくら脛の腱、筋を伸ばすことができ、又ダイエットに良いとされる、つま先歩行が容易にでき体力促進に役立ち、さらに全面に体重を移動させることで傾斜し、青竹踏みの代わりとして土踏まずに点在するツボを刺激し、治癒能力を促進することで健康促進に役立ち、更にバランス感覚を養うことが出来る効果をえた。
【００１６】  請求項２のストレッチサンダル下駄は、各種デザイン化して、又各種素材で成型して、その機能を持たせて構成することで、利用者の利便を図ることと、満足を得る効果がある。
【００１７】  請求項３のストレッチサンダル下駄は、後面下部に接続具を継ぎ足すことで、接地部分が３点で保持され接地面が一直線となる事となり、体重移動する事なく、容易に土踏まずを刺激し、安定した歩行が出来る効果がある。
【図面の簡単な説明】
【図１】請求項１のストレッチサンダル下駄の斜視図である。
【図２】請求項２のデザイン化したストレッチサンダル下駄基体の斜視図である。
【図３】請求項３のストレッチサンダル下駄基体に接続具を付帯した斜視図である。
【符号の説明】
Ａ  ストレッチサンダル下駄の基体
Ｂ，デザイン化したストレッチサンダル下駄の基体
Ｃ，接続具
１、上面
２  下面
３  前面
４  後面
５，土踏まずの接地面
６，傾斜切断面
７  保持具帯
８  鼻緒（保持具）
９  長短調整具
１０  保持具止め
１１、丸み切断始点
１２、接地面
１３  切除面
【図１】
0003121604.tif 000003
【図２】
0003121604.tif 000004
【図３】
0003121604.tif 000005
【手続補正書】
【提出日】平成18年1月6日(2006.1.6)
【手続補正１】
【補正対象書類名】実用新案登録請求の範囲
【補正対象項目名】全文
【補正方法】変更
【補正の内容】
【実用新案登録請求の範囲】
【請求項１】
ユ字形の固体又は箱状で、高下駄の変形であり、歯と一体化させて、前面を逆階段とし、後面は土踏まずに合うよう丸みをもって傾斜してなる、ユ字形に成型された基体、これにサンダル風な帯及び下駄の鼻緒状の保持具で構成された、ストレッチが出来るサンダル状または下駄状の履物。
【請求項２】
請求項１の履物で、形状を変化させたデザイン、又各種使用素材を利用し成型し製造したサンダル状または下駄状の履物。
【請求項３】
請求項１の履物で、前面に体重移動し傾けた時接地面が、一直線となる接続具を、後部下面に装着し３点保持でなるサンダル状または下駄状の履物。